【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
複数の焦点検出領域に対応し、入射した光に応じて電荷を発生する複数の光電変換素子群と、
前記複数の焦点検出領域のいずれかを選択する選択手段と、
前記複数の光電変換素子群から転送される電荷をそれぞれ保持するための複数の保持手段と、
前記光電変換素子群で発生した電荷を該光電変換素子群において蓄積する第１の蓄積方法と、前記光電変換素子群で発生した電荷を前記保持手段に転送して蓄積する第２の蓄積方法とのいずれかにより、前記光電変換素子群ごとに電荷の蓄積を制御する制御手段と、
前記保持手段に保持された電荷の信号レベルを、前記第２の蓄積方法により制御された前記光電変換素子群ごとにモニタするモニタ手段と、を有し、
前記制御手段は、前記複数の光電変換素子群のうち、前記選択手段により選択された焦点検出領域に対応する光電変換素子群を前記第１の蓄積方法で制御し、前記第１の蓄積方法で制御する光電変換素子群に隣接する光電変換素子群を前記第２の蓄積方法で制御し、
前記制御手段は、前記モニタ手段がモニタした前記第２の蓄積方法で制御した光電変換素子群の信号レベルに基づいて、当該光電変換素子群及び隣接する前記第１の蓄積方法で制御した光電変換素子群における電荷の蓄積終了を制御することを特徴とする焦点検出装置。
【請求項２】
前記制御手段は、前記第１の蓄積方法で制御する光電変換素子群に電荷を蓄積する間、対応する前記保持手段をリセットすることを特徴とする請求項１に記載の焦点検出装置。
【請求項３】
前記選択手段は、外部から前記複数の焦点検出領域のいずれかを選択する指示を受けることを特徴とする請求項１または２に記載の焦点検出装置。
【請求項４】
測光手段から得られる輝度の分布、及び、色の情報に基づいて被写体を判定する被写体判定手段を更に有し、
前記選択手段は、前記被写体判定手段により判定された被写体を含む焦点検出領域を選択することを特徴とする請求項１または２に記載の焦点検出装置。
【請求項５】
前記焦点検出領域はそれぞれ複数の前記光電変換素子群に対応し、
前記制御手段は、前記複数の光電変換素子群のうち、前記被写体を含む焦点検出領域に対応する前記光電変換素子群及び前記被写体を含む焦点検出領域に隣接する焦点検出領域に対応する前記光電変換素子群の一部を前記第１の蓄積方法で制御し、前記隣接する焦点検出領域に対応する他の光電変換素子群を前記第２の蓄積方法で制御することを特徴とする請求項４に記載の焦点検出装置。
【請求項６】
前記制御手段は、前記第１の蓄積方法及び前記第２の蓄積方法のいずれにも設定されなかった前記光電変換素子群の電荷の蓄積を禁止することを特徴とする請求項１乃至５のいずれか１項に記載の焦点検出装置。
【請求項７】
前記選択手段により選択された焦点検出領域に対応する前記光電変換素子群から得られた電荷に応じた像信号に基づいて、焦点状態を検出する焦点検出手段を有することを特徴とする請求項１乃至６のいずれか１項に記載の焦点検出装置。
【請求項８】
前記焦点検出手段は、前記像信号の位相差に基づいて焦点状態を検出することを特徴とする請求項７に記載の焦点検出装置。
【請求項９】
前記制御手段は、前記モニタ手段がモニタした前記第２の蓄積方法で制御した光電変換素子群の信号レベルが、予め決められた値を超えた場合、または、当該信号のコントラストを示す値が予め決められた値を超えた場合に、電荷の蓄積を終了させることを特徴とする請求項１乃至８のいずれか１項に記載の焦点検出装置。
【請求項１０】
撮像手段と、
請求項１乃至９のいずれか１項に記載の焦点検出装置と
を有することを特徴とする撮像装置。
【請求項１１】
複数の焦点検出領域に対応し、入射した光に応じて電荷を発生する複数の光電変換素子群と、前記複数の光電変換素子群から転送される電荷をそれぞれ保持するための複数の保持手段とを有する焦点検出装置の制御方法であって、
選択手段が、前記複数の焦点検出領域のいずれかを選択する選択工程と、
制御手段が、前記複数の光電変換素子群のうち、前記選択工程で選択された焦点検出領域に対応する光電変換素子群を、該光電変換素子群で発生した電荷を該光電変換素子群において蓄積する、第１の蓄積方法で制御するとともに、前記第１の蓄積方法で制御する光電変換素子群に隣接する光電変換素子群を、該光電変換素子群で発生した電荷を前記保持手段に転送して蓄積する、第２の蓄積方法で制御する制御工程と、
モニタ手段が、前記保持手段に保持された電荷の信号レベルを、第２の蓄積方法で制御された前記光電変換素子群ごとにモニタするモニタ工程と、
前記制御手段が、前記モニタ工程でモニタした前記第２の蓄積方法で制御した光電変換素子群の信号レベルに基づいて、当該光電変換素子群及び隣接する前記第１の蓄積方法で制御した光電変換素子群における電荷の蓄積終了を制御する制御工程と、
を有することを特徴とする焦点検出装置の制御方法。
【手続補正２】
【補正対象書類名】明細書
【補正対象項目名】００１０
【補正方法】変更
【補正の内容】
【００１０】
上記目的を達成するために、本発明の焦点検出装置は、複数の焦点検出領域に対応し、入射した光に応じて電荷を発生する複数の光電変換素子群と、前記複数の焦点検出領域のいずれかを選択する選択手段と、前記複数の光電変換素子群から転送される電荷をそれぞれ保持するための複数の保持手段と、前記光電変換素子群で発生した電荷を該光電変換素子群において蓄積する第１の蓄積方法と、前記光電変換素子群で発生した電荷を前記保持手段に転送して蓄積する第２の蓄積方法とのいずれかにより、前記光電変換素子群ごとに電荷の蓄積を制御する制御手段と、前記保持手段に保持された電荷の信号レベルを、前記第２の蓄積方法により制御された前記光電変換素子群ごとにモニタするモニタ手段と、を有し、前記制御手段は、前記複数の光電変換素子群のうち、前記選択手段により選択された焦点検出領域に対応する光電変換素子群を前記第１の蓄積方法で制御し、前記第１の蓄積方法で制御する光電変換素子群に隣接する光電変換素子群を前記第２の蓄積方法で制御し、前記制御手段は、前記モニタ手段がモニタした前記第２の蓄積方法で制御した光電変換素子群の信号レベルに基づいて、当該光電変換素子群及び隣接する前記第１の蓄積方法で制御した光電変換素子群における電荷の蓄積終了を制御する。
【手続補正３】
【補正対象書類名】明細書
【補正対象項目名】００３８
【補正方法】変更
【補正の内容】
【００３８】
Ｓ５０４でＡＦＣＰＵ４００は、電荷蓄積が十分行われたか否かを、コンパレータ４０７の出力するｃｏｍｐ信号の値によって判定する。ラインセンサ対１０１−ｎの蓄積が十分であり、電荷蓄積を終了すべき場合には、ｐ−ｏｕｔ＞ＶＲとなり、コンパレータ４０７からｃｏｍｐ＝１が出力される。Ｓ５０４でｃｏｍｐ信号の値が１であれば、ＡＦＣＰＵ４００はＳ５０６以降の蓄積終了処理を実行する。一方、ｃｏｍｐ＝０が出力されている場合、ｐ−ｏｕｔ≦ＶＲで蓄積が不十分であるので、Ｓ５０５に進み、ＡＦＣＰＵ４００は、自身のレジスタｓｔｐ＿ｎの値を判定する。このレジスタｓｔｐ＿ｎの値は外部（例えば、カメラＣＰＵ１００）からＡＦＣＰＵ４００への通信により設定される。なお、第１タイプの読み出しでは、レジスタｓｔｐ＿ｎは、後述する図７のＳ７０８において蓄積時間が打ち切り時間に達した場合に１が設定されるもので、詳細は後述する。レジスタｓｔｐ＿ｎが１であればＳ５０６に進み、１でなければ、ＡＦＣＰＵ４００は、ｃｏｍｐ信号＝１となるまでＳ５０４における判定処理を継続する。
【手続補正４】
【補正対象書類名】明細書
【補正対象項目名】００４５
【補正方法】変更
【補正の内容】
【００４５】
Ｓ６０５でＡＦＣＰＵ４００は、ｒｓｔｍ＿ｎ信号の出力を終了し、メモリ部４０３のリセットを完了する。その後、ＡＦＣＰＵ４００は、ｔｒａｎｓ＿ｎ信号の出力を開始して転送ゲート４０２をＯＮにし、ラインセンサ対１０１−ｎのセンサ部４０１で積分された蓄積電荷をメモリ部４０３へ転送する。電荷蓄積期間中、センサ部４０１からメモリ部４０３への電荷転送は行われず、さらに蓄積が終了して蓄積電荷が転送される直前まで、メモリ部４０３はリセットされ続けている。そのため、センサ部４０１における電荷蓄積期間中にメモリ部４０３で発生するノイズはメモリ部４０３に蓄積されない。
【手続補正５】
【補正対象書類名】明細書
【補正対象項目名】００５８
【補正方法】変更
【補正の内容】
【００５８】
Ｓ７０８でカメラＣＰＵ１００は、ＡＦＣＰＵ４００と通信し、蓄積を許可したラインセンサ対の内、蓄積を終了していないラインセンサ対に対応するＡＦＣＰＵ４００のレジスタｓｔｐ＿ｎ（ｎ＝１〜１８）に１を設定し、全ラインセンサ対の蓄積を終了させる。
【手続補正６】
【補正対象書類名】明細書
【補正対象項目名】００６７
【補正方法】変更
【補正の内容】
【００６７】
図９（ｂ）は測距点３０３から測距点３０４に移動選択された場合の各ラインセンサ対の蓄積タイプの設定を示す。図８の対応表から、測距点３０４が選択された場合は、斜線で表したラインセンサ対１０１−７と１０１−８を第２タイプに設定する。更に、蓄積モニタ用として、隣接する測距点３０３、３０５を構成する一部のラインセンサ対１０１−６と１０１−９を第１タイプに設定する。ラインセンサ対１０１−６の蓄積が終了したタイミングでラインセンサ対１０１−７、ラインセンサ対１０１−９の蓄積が終了したタイミングでラインセンサ対１０１−８の蓄積を終了する。
【手続補正７】
【補正対象書類名】明細書
【補正対象項目名】００８２
【補正方法】変更
【補正の内容】
【００８２】
Ｓ１１１１でカメラＣＰＵ１００は、Ｓ１１１０で得たラインセンサ対の画素信号から、デフォーカス量を算出する。ここで、Ｓ１１１０で読出したラインセンサ対が２本ある場合は、得られたデフォーカス量の演算結果を平均や重み付け平均するなどして最終結果とする。
【手続補正８】
【補正対象書類名】図面
【補正対象項目名】図１０
【補正方法】変更
【補正の内容】
【図１０】
2015191046.tif 000001